(57)【要約】【課題】壁掛けおよび卓上兼用の陳列ボックスを提供し、さらに収納したチラシ、パンフレット或は書類等が一見して判別できる簡易構造の陳列ボックスを提供することにある。【解決手段】書類等を収納するボックスを有し、少なくとも背面部材および底面部材を有する陳列ボックスにおいて、前記底面部材と連結した折り畳み式の支持部材が前記背面部材の背面下部に設けられており、前記支持部材を折り畳むと前記背面部材と密着する平面を構成し、前記支持部材を組み立てると　底面部と前記底面部の両側に支え部を構成し、前記支え部は前記底面部に対して垂設され、かつ前記背面部材に対して当設されることにより転倒防止する支えを構成することを特徴とする陳列ボックスを備える。【選択図】　図１
2004057644.tif 000002
【特許請求の範囲】
【請求項１】
書類等を収納するボックスを有し、少なくとも背面部材および底面部材を有する陳列ボックスにおいて、前記底面部材と連結した折り畳み式の支持部材が前記背面部材の背面下部に設けられており、前記支持部材を折り畳むと前記背面部材と密着する平面を構成し、前記支持部材を組み立てると底面部と前記底面部の両側に支え部を構成し、前記支え部は前記底面部に対して垂設され、かつ前記背面部材に対して当設されることにより転倒防止する支えを構成することを特徴とする陳列ボックス。
【請求項２】
前記支持部材を組み立て、支えとして使用する場合において、前記背面部材と前記底面部材との構成する角度が直角より大きい請求項１に記載の陳列ボックス。
【請求項３】
前記ボックスが少なくとも２以上の単位収納部で構成され、前記単位収納部の底面の高さにそれぞれ段差が設けられている請求項１に記載の陳列ボックス。
【請求項４】
前記支持部材と前記単位収納部の底面の高さに段差を設ける折畳式底面部材とが前記背面部材に設けられた差込口を通して係合される構成となっている請求項３に記載の陳列ボックス。
【請求項５】
前記係合が前記支持部材に設けられた切り込みと前記折畳式底面部材とでなされる構成となっている請求項４に記載の陳列ボックス。
【発明の詳細な説明】
【０００１】
【発明の属する技術分野】
本発明は、卓上および壁掛け兼用となる陳列ボックスで、さらに、収納されたチラシ、カタログ、パンフレットあるいは書類、書籍などの検索が容易になる構造を有する陳列ボックスに関するものである。
【０００２】
【従来の技術】
従来から卓上と壁掛け兼用の陳列ボックスは存在していたが、卓上と壁掛け兼用にするための支持部材に問題があった。図７および図８を用いて、その問題点について説明する。図７は従来の陳列ボックスを壁掛けタイプとして組み立てた状態を示す図であり、図７（Ａ）は背面図であり、図７（Ｂ）は側面図である。図８は従来の陳列ボックスを卓上タイプとして組み立て場合の背面側斜視図である。従来の陳列ボックスの特徴はボックス２０と支持部材２１が独立して存在し、それらを接着剤や両面テープ等で接着させて陳列ボックスを組み立てていた。そのため支持部材２１が全く独立した部材として必要な為、材料費が高くなる問題があった。また、図７（Ａ）に示すように、支持部材２１は卓上使用時の転倒防止用専用部材の為、壁掛け用として陳列ボックスを使用する場合、支持部材２１が突起物とならないように広げた状態で使用するが、ボックス２０に比較して相当大きな無用の部材として存在し、見た目が悪い不具合もある。また、製造メーカーや販売店等が在庫として保管する場合や輸送する場合の組み立て前の陳列ボックスは、支持部材２１がボックス２０の背面に独立して存在し、重ねて保管した場合の厚さを増す要因になって保管や輸送に不向きであった。
【０００３】
従来の陳列ボックスには、さらに別の問題も存在していた。陳列ボックスの中に例えばサイズが同じ２種類のチラシを収納した時、前面に位置するチラシは一見してその存在は判明するが、後ろ側に置かれた別のチラシはその存在さえも認識してもらえない問題があった。図９を用いて説明すると、例えば同じ大きさのチラシ２種類のチラシＡとチラシＢとを置いた場合、前面側に置かれたチラシＡの存在は認識してもらえるが、後ろ側に置かれたチラシＢはその存在さえも認識してもらえない不具合がある。
【０００４】
【発明が解決しようとする課題】
上述のように従来の陳列ボックスでは、陳列ボックスを壁掛けおよび卓上兼用にするための支持部材が専用部材として必要なため材料費が高くなり、また、壁掛け使用時に支持部材が不要な部材としては占有領域が大きく見た目も悪く、また保管や輸送のときに折り畳んでもスペースを多く取る不具合がある。さらに、従来の陳列ボックスでは書類等を収納するボックスの底面が平坦になっているため、複数種類の書類等を収納した場合に背面側に収納された書類等を見ることができないといった問題がある。
【０００５】
本発明は上述したような事情によりなされたものであり、本発明の目的は、材料費が少ない経済的な、また、保管や輸送に都合の良いコンパクトな壁掛けおよび卓上兼用陳列ボックスを提供し、さらに、収納した複数のチラシ、パンフレット或は書類等が重なり合っても後方の書類が一見してその存在を認識できる構造の陳列ボックスを提供することにある。
【０００６】
【課題を解決する為の手段】
本発明は陳列ボックスに関するもので、本発明の目的は、
書類等を収納するボックスを有し、少なくとも背面部材および底面部材を有する陳列ボックスにおいて、前記底面部材と連結した折り畳み式の支持部材が前記背面部材の背面下部に設けられており、前記支持部材を折り畳むと前記背面部材と密着する平面を構成し、前記支持部材を組み立てると　底面部と前記底面部の両側に支え部を構成し、前記支え部は前記底面部に対して垂設され、かつ前記背面部材に対して当設されることにより転倒防止する支えを構成することを特徴とする陳列ボックスによって達成される。
【０００７】
また、前記支持部材を組み立て、支えとして使用する場合において、前記背面部材と前記底面部材との構成する角度が直角より大きい陳列ボックスによって達成される。
【０００８】
また、前記ボックスが少なくとも２以上の単位収納部で構成され、前記単位収納部の底面の高さにそれぞれ段差が設けられている陳列ボックスによって達成される。
【０００９】
また、前記支持部材と前記単位収納部の底面の高さに段差を設ける折畳式底面部材とが前記背面部材に設けられた差込口を通して係合される構成となっている陳列ボックスによって達成される。
【００１０】
また、前記支持部材に設けられた切り込み口と前記折畳式底面部材とで前記係合がされる構成となっている陳列ボックスによって達成される。
【００１１】
【発明の実施の形態】
本発明は、チラシ、カタログ、パンフレット、書類、書籍等（以下、単に「書類等」とする）を収納する陳列ボックスに関するものであり、壁掛けと卓上と兼用できる構造でありながら材料費が安く、構造的にもコンパクトで、さらに、複数種類の書類等を収納した場合でも、複数種類の書籍等を一見して外部から判別できる構造としている。
【００１２】
以下、図１乃至図４を用いて本発明の実施例について説明する。
【００１３】
図１は本発明の実施例である陳列ボックスの斜視図である。図２は本発明の陳列ボックスを卓上タイプとして使用した場合の図である。図３は本発明の陳列ボックスを壁掛けタイプとして使用した場合の図である。図２（Ａ）は正面図であり、同図（Ｂ）は側面図、同図（Ｃ）は背面図、また、図３（Ａ）は正面図であり、同図（Ｂ）は側面図、同図（Ｃ）は背面図である。
【００１４】
本実施例では、２種類の書籍等を収納するボックスとして単位収納部Ａ（前側）およびＢ（後側）を設けており、正面部材３−１は上部は湾曲した凹部を有しており、収納した書類等を見易くしている。ボックス内には単位収納部ＡおよびＢを区画する凹状の正面部材３−２が、底面部材２、左側面部材４および右側面部材５に装着されており、正面部材３−２の凹部底面には、背面部材１に設けられている長形状の差込口１０に差し込んで係合する折畳式底面部材９が延接されている。折畳式底面部材９は二つに折り畳める構造であり、内側一面は単位収納部Ｂの底面を形成し、さらに、外側一面は後述する折畳式の支持部材８と係合して卓上式の場合の衝立て機能を果たすようになっている。つまり折畳式底面部材９は二つの機能を兼用して部材の節約になって本発明の陳列ボックスが安価に製作できる要因になっている。
【００１５】
次に、背面部材１の背面下部に設けられている折畳式の支持部材８について、図４を用いてその構造について説明する。支持部材８は底面部８−１とその両側の三角形状の支え部８−２および８−３から構成されており、支え部８−２および８−３の頂部近辺にはそれぞれ切り込み８−２１および８−３１が設けられている。支持部材８を組み立てると、支え部８−２および８−３は底面部８−１の両側で垂直に立った位置にあり、かつ支え部８−２及び８−３はそれぞれ背面部材１の背面に当設し、陳列ボックスが背面側に転倒しないように衝立ての働きをする。支持部材８の底面部８−１の幅は支持部材の厚さを決定し、この厚さによって転倒に関する安定度が決定される。また、支え部８−２及び８−３には、切り込み８−２１及び８−３１が入っており、折畳式底面部材９の他面側の一端を切り込み８−２１及び８−３１に差し込むことによって形状を固定できる。次に、支持部材８を背面側に折り畳み、一端部を差込口１０に差し込むと、図３で示すように背面と密着するような状態で平面を形成して突起物を構成しない。
【００１６】
陳列ボックスを壁掛けタイプとして使用したときの差込口１０の働きは、支持部材８を折り畳んだとき、支持部材８によって形成される平面の形が崩れて突起物を形成しないように、支持部材８を平面状態に留めておく為の働きをする。一方、支持部材８を組み立て、陳列ボックスを卓上タイプとして使用したときの差込口１０の働きは、支えを形成する時、支持部材８の形が崩れないようにするため差込口１０を通して折畳式底面部材９の一部と支え部８−２及び８−３の切り込み８−２１及び８−３１とを係合して形を固定する。
【００１７】
最初に、図２および図４を用いて、陳列ボックスを卓上において使用した場合について説明する。卓上使用のため支持部材８を組み立てるには、まず、両側の支え部８−２及び８−３を垂直に立てる。その結果、底面部８−１の幅に相当する厚さの支持部材８が構成される。次に、この支持部材８が形崩れしないように、折畳式底面部材９が差込口１０を通して背面部材１の外側で切り込み８−２１及び８−３１と係合する。この結果、支持部材８は形崩れせず強固なものとなり、背面部材１に当設された支え部８−２および８−３の支えの作用によって陳列ボックスが背面側に転倒しないようになる。この折畳式底面部材９が支持部材８を形崩させず強固なものにさせる作用は、折畳式底面部材９が兼用して持つ二つの機能の一つであり、兼用による部材の節約効果の要因でもある。
【００１８】
さらに、卓上で使用する場合、図２（Ｂ）側面図で示すように、背面部材１と底面部材２との成す角度が９０度より大きい、逆に言えば、背面部材１と卓上面との成す角度が９０度より小さくなるように構成すると、陳列ボックスは背面方向だけでなく正面方向への転倒防止も強化され、安定した卓上タイプの陳列ボックスを実現できる。
【００１９】
次に、図３を用いて、陳列ボックスを壁に掛けて使用した場合について説明する。図３（Ｃ）背面図で示すように、支持部材８は折り畳むと平面状になって背面部材１の面に重なり合う。さらに、支持部材８の先端部は差込口１０を通して背面部１の内側に挿入され、折り畳んだ支持部材８が再び開かないで平面を維持するようになっている。この結果、陳列ボックスの背面側に支え物のような突起物は存在せず、陳列ボックスは壁掛けタイプに適した構造となる。この支持部材８の先端を差込口１０を通して背面部材１の内側に挿入する機構が、従来の専用支持部材に比べて背面側をすっきりさせコンパクト化を実現させている。
【００２０】
以上説明したように本発明を用いれば、陳列ボックスは壁掛けおよび卓上タイプ兼用でありながら、部材が少なく経済的であり、壁掛け使用時には背面側もコンパクトに収まって見た目も良い効果がある。
【００２１】
次に、チラシが２種類ある場合の本発明の実施例について図１および図５を用いて説明する。図１はまだチラシを設置しない状態を示す図で、図５は２種類のチラシＡ，Ｂを設置した状態を示す図である。図５において、単位収納部ＡにはチラシＡが収納されており、単位収納部ＢにはチラシＢが収納されている。例えば、製薬会社が２種類の新薬を宣伝する為に、チラシＡとチラシＢを使って宣伝する場合がある。通常チラシＡとチラシＢは同じ会社の薬品の場合、同じ大きさで作られている場合がしばしば見受けられる。図１に示すように、本発明の第一実施例である陳列ボックスを用いれば、チラシＢは折畳式底面部材９によってチラシＡより折畳式底面部材９の高さ分だけ高く位置するので、チラシＢはチラシＡの後ろに位置していても、チラシＢの上部は折畳式底面部材９の高さ分だけチラシＡより飛び出した位置にある。よって消費者はチラシＢの上部に記載された内容によって、チラシＢに記載された薬品の種類が一見して判明し、興味があればチラシＢを持っていくことになり、製薬会社としてチラシＢを置いた宣伝効果があったことになる。この段差を生じさせる機能が、折畳式底面部材９が兼用してもつ二つの機能の別の機能であり、機能を兼用することによる部材の節約効果である。
【００２２】
以上説明したように、収納部の底面の高さに段差をもたせることにより、後方に設置されたチラシＢと前方に設置されたチラシＡの高さに段差が生じて、後方設置のチラシＢの一部が飛び出て見えるので、チラシＢの種類を一見して判別でき、チラシＢの存在が無視されるような事態を回避できる効果がある。
【００２３】
以上の説明ではチラシをＡ，Ｂ２種類の場合について説明したが、チラシが３種類以上の場合でも単位収納を３個以上設け、底面をそれに対応した数だけ設置すれば、後ろに位置するチラシの存在を一見して認識できる効果が得られる。
【００２４】
また図４で示すように、折畳式底面部材９を支持部材８の切り込み８−２１及び８−３１を差し込むことにより、卓上タイプとして使用するときの転倒防止用支持部材８の形状も安定するので、陳列ボックスの座りも良くなり転倒しなくなる効果があることを上述したが、さらに、折畳式底面部材９が固定されて安定するので、折畳式底面部材９に載せたチラシＢの座りも良くなる効果がある。
【００２５】
また保管や輸送に適した組み立て前の陳列ボックスの形状を図６に示す。図６（Ａ）は組み立て前の陳列ボックスの正面図、図６（Ｂ）は組み立て前の陳列ボックスの側面図、図６（Ｃ）は組み立て前の陳列ボックスの背面図である。卓上使用の為の支持部材８や折畳式底面部材９が、従来の陳列ボックスのように背面部材の上に独立して存在しない為、背面側がすっきりしてコンパクトに収まり保管や輸送に適した効果が発揮される。
【００２６】
【発明の効果】
以上説明したように、本発明を用いれば、壁掛け卓上兼用の陳列ボックスを材料が少なく経済的に製作でき、また、背面側の見た目も良く、保管や輸送にも適した省スペースの陳列ボックスを提供できる。さらに、複数の書類等を本発明の陳列ボックスに設置すれば、後方に置かれた書類等なども一見して視認でき、その存在を知らしめる効果が期待できる。
【図面の簡単な説明】
【図１】本発明の一実施例である壁掛け卓上兼用タイプの陳列ボックスを示す斜視図である。
【図２】本発明の一実施例である卓上タイプ陳列ボックスの正面図、側面図、背面図である。
【図３】本発明の一実施例である壁掛けタイプ陳列ボックスの正面図、側面図、背面図である。
【図４】本発明の支え部の詳細を示した斜視図である。
【図５】本発明の一実施例である陳列ボックスに２種類のチラシを収納した場合の使用状態を示す斜視図である。
【図６】本発明の陳列ボックスの組み立て前の正面図、側面図、背面図である。
【図７】従来の陳列ボックスを壁掛けタイプとして組み立てた状態の背面図、側面図である。
【図８】従来の陳列ボックスを卓上タイプとして組み立てた状態の背面斜視図である。
【図９】従来の陳列ボックスに２種類のチラシを収納した場合の使用状態を示す図である。
【符号の説明】
１　　　背面部材
２　　　底面部材
３、３−１，３−２　　　正面部材
４　　　左側面部材
５　　　右側面部材
６　　　穴
７　　　支持部材
８　　　支持部材
８−１　底面部
８−２、８−３　　　支え部
８−２１、８−３１　切り込み
９　　　折畳式底面部材
１０　　差込口
２０　　ボックス
２１　　支持部材
【図１】
2004057644.tif 000003
【図２】
2004057644.tif 000004
【図３】
2004057644.tif 000005
【図４】
2004057644.tif 000006
【図５】
2004057644.tif 000007
【図６】
2004057644.tif 000008
【図７】
2004057644.tif 000009
【図８】
2004057644.tif 000010
【図９】
2004057644.tif 000011